(57)【要約】      （修正有）【課題】様々な臥位に応じて安定して頭を支持して首の適切な姿勢を保つことができる枕を提供する。【解決手段】枕１は、幅方向両側に設けられた側方調整部１８と、側方調整部の間に設けられ使用者の後頭部を支持する頭部用調整部２０と、側方調整部の間に設けられ使用者の頸部を支持する頸部用調整部２２と、を有し、頸部用調整部は、半円柱状に形成されている。頭部用調整部は、頸部用調整部に向かって厚みが薄くなる、くさび状に形成されており、側方調整部、頭部用調整部、及び頸部用調整部は、それぞれ高さ調整部材を有し、高さ調整部材の積層枚数を調整することにより、高さを個別に調整することができる。【選択図】図１
0003187390.tif 000002
【実用新案登録請求の範囲】
【請求項１】
幅方向両側に設けられた側方部材と、
前記側方部材の間に設けられ使用者の後頭部を支持する頭部用部材と、
前記側方部材の間に設けられ使用者の頸部を支持する頸部用部材と、を有し、
前記頸部用部材は、半円柱状に形成されている、
ことを特徴とする枕。
【請求項２】
前記頭部用部材は、前記頸部用部材に向かって厚みが薄くなる、くさび状に形成されている、請求項１に記載の枕。
【請求項３】
前記側方部材は、使用者の頭部に向かう面が平坦である、請求項１または請求項２に記載の枕。
【請求項４】
前記側方部材、前記頭部用部材、及び前記頸部用部材は、高さを調節可能に構成されている、請求項１から請求項３のいずれか１項に記載の枕。
【請求項５】
前記側方部材、前記頭部用部材、及び前記頸部用部材の少なくとも１つは、袋状に形成されたカバーと、前記カバーの内部に収容される複数の層の高さ調整部材を有し、前記カバー内部への前記高さ調整部材の収納数を調整することにより、前記側方部材、前記頭部用部材、及び前記頸部用部材の少なくとも１つの高さを調整可能に構成されている、請求項４に記載の枕。
【請求項６】
前記頸部用部材の前記高さ調整部材は、半円筒状に形成されている、請求項５に記載の枕。
【請求項７】
前記側方部材、前記頭部用部材、及び前記頸部用部材は、シート状部材の上に配置され且つ取り外し可能に取り付けられる、請求項１から請求項６のいずれか１項に記載の枕。
【請求項８】
前記シート状部材において、前記側方部材、前記頭部用部材、及び前記頸部用部材に向かう面には、第１の面ファスナが設けられ、前記側方部材、前記頭部用部材、及び前記頸部用部材において、前記シート状部材に向かう面には、それぞれ前記第１の面ファスナに係合可能な第２の面ファスナが設けられている、請求項７に記載の枕。
【請求項９】
前記第１の面ファスナは、前記枕の幅方向に沿って配置され、前記第２の面ファスナは、前記枕の長さ方向に沿って配置される、請求項８に記載の枕。
【請求項１０】
前記頸部用部材は、前記頸部用部材において前記枕の外周に向く辺の少なくとも一部は、前記シート状部材に取り外し可能に取り付けられている、請求項７から請求項９のいずれか１項に記載の枕。
【請求項１１】
前記側方部材、前記頭部用部材、及び前記頸部用部材において、前記シート状部材とは反対側の面には、クッション材が配置される、請求項７から請求項１０のいずれか１項に記載の枕。
【請求項１２】
少なくとも前記側方部材、前記頭部用部材、及び前記頸部用部材を覆うカバーを更に有する、請求項１から請求項１１のいずれか１項に記載の枕。
【請求項１３】
少なくとも前記側方部材、前記頭部用部材、及び前記頸部用部材を覆うカバーを更に有し、前記側方部材、前記頭部用部材、及び前記頸部用部材は、前記カバーの内面上に配置され且つ取り外し可能に取り付けられる、請求項１から請求項６のいずれか１項に記載の枕。
【請求項１４】
前記側方部材、前記頭部用部材、及び前記頸部用部材において、前記カバーに取り付けられる面とは反対側の面には、クッション材が配置される、請求項１３に記載の枕。
【請求項１５】
前記クッション材の外面にはポケットが形成され、前記ポケットには、板状クッション材が収容される、請求項１又は請求項１４に記載の枕。
【考案の詳細な説明】
【技術分野】
【０００１】
本考案は、枕に関し、特に、就寝時の姿勢を適切に保持する枕に関する。
【背景技術】
【０００２】
従来の枕としては、例えば特許文献１に記載のものがある。この枕は、首を支持する部分が後頭部を支持する部分よりも盛り上がっており、また、首を支持する部分は、幅方向の両端に向かって高さが高くなるように形成されている。このような構造の枕では、首を支持する部分で使用者の頸椎の変形を矯正する。また、首を支持する部分の幅方向両側が中央より高くなっているので、使用者が寝返りを打った際には、再び仰臥位になるように、この幅方向両側の部分が使用者の寝返りを促す。
【先行技術文献】
【特許文献】
【０００３】
【特許文献１】特開２０１２−２４５３１２号公報
【考案の概要】
【考案が解決しようとする課題】
【０００４】
しかしながら、上記のような従来の枕では、首を支持する部分と後頭部を支持する部分が一体になっている。このため、様々な体格や、様々な臥位においても適切な姿勢を得るように枕を設計することが難しい。
本考案の目的は、様々な臥位に応じて安定して頭を支持して首の適切な姿勢を保つことができる枕を提供することにある。
【課題を解決するための手段】
【０００５】
上記の目的を達成するために、本考案の枕は、幅方向両側に設けられた側方部材と、側方部材の間に設けられ使用者の後頭部を支持する頭部用部材と、側方部材の間に設けられ使用者の頸部を支持する頸部用部材と、を有し、頸部用部材は、半円柱状に形成されている、ことを特徴としている。
このように構成された本考案においては、枕が、側方部材、頭部用部材、及び頸部用部材に分割されているので、使用者の体格や臥位に応じて、それぞれ独立して部材の高さや形状、硬さ等を適切に設定することができる。これにより、枕は、使用者の体格や使用環境に、より柔軟に対応可能となる。また、頸部用部材が半円柱状に形成されているので、仰臥位において首を良好に支持することができ、首の適切な姿勢が保たれる。
【０００６】
本考案においては、好ましくは、頭部用部材は、頸部用部材に向かって厚みが薄くなる、くさび状に形成されている。
このように構成された本考案においては、頭部用部材がくさび状に形成されているので、半円柱状の頸部用部材と組み合わされることにより、使用者の後頭部が体に対して適切な角度で保持される。これにより、使用者の頭部及び頸部が適切な姿勢で保たれる。
【０００７】
本考案において、好ましくは、側方部材は、使用者の頭部に向かう面が平坦である。
このように構成された本考案においては、側方部材において使用者の頭部が載置される面が平坦であるので、従来の枕のように側臥位を仰臥位に促すことなく、側臥位の状態で、使用者の頭部が安定して保持される。
【０００８】
本考案において、好ましくは、側方部材、頭部用部材、及び頸部用部材は、高さを調節可能に構成されている。より好ましくは、側方部材、頭部用部材、及び頸部用部材の少なくとも１つは、袋状に形成されたカバーと、カバーの内部に収容される複数の層の高さ調整部材を有し、カバー内部への高さ調整部材の収納数を調整することにより、側方部材、頭部用部材、及び頸部用部材の少なくとも１つの高さを調整可能に構成されている。
このように構成された本考案においては、側方部材、頭部用部材、及び頸部用部材は、高さを調整可能に構成されているので、使用者の体格や、使用環境等に応じてそれぞれの部位の高さを柔軟に調整可能となる。
【０００９】
本考案において、好ましくは、頸部用部材の高さ調整部材は、半円筒状に形成されている。このように構成された本考案においては、頸部用部材の高さ調整部材が半円筒状に形成されているので、高さ調節部材の収納数を調整することにより、頸部用部材の半径寸法を調整することが可能になる。したがって、使用者の頸部の形状、寸法に合わせて頸部用部材のサイズをより柔軟に調整可能となる。
【００１０】
本考案において、好ましくは、側方部材、頭部用部材、及び頸部用部材は、シート状部材の上に配置され且つ取り外し可能に取り付けられる。
このように構成された本考案においては、側方部材、頭部用部材、及び頸部用部材が、シート状部材の上に配置され取り外し可能に取り付けられるので、これらの部材の位置をシート状部材上で自由に調整可能になる。また、側方部材、頭部用部材、及び頸部用部材がシート状部材に取り付けられるので、これらの部材の相対位置がずれるのが防止される。
【００１１】
本考案において、好ましくは、シート状部材において、側方部材、頭部用部材、及び頸部用部材に向かう面には、第１の面ファスナが設けられ、側方部材、頭部用部材、及び頸部用部材において、シート状部材に向かう面には、それぞれ第１の面ファスナに係合可能な第２の面ファスナが設けられている。
このように構成された本考案においては、シート状部材に第１の面ファスナが、側方部材、頭部用部材、及び頸部用部材に、第２の面ファスナが設けられているので、これらの面ファスナが互いに係合することによって側方部材、頭部用部材、及び頸部用部材がシート状部材に固定される。面ファスナで固定されるので、簡単に取り付け、取り外しが可能となり、また側方部材、頭部用部材、及び頸部用部材の相対位置の調整が容易となる。
【００１２】
本考案において、好ましくは、第１の面ファスナは、枕の左右方向に沿って配置され、第２の面ファスナは、枕の上下方向に沿って配置される。
このように構成された本考案においては、第１の面ファスナが、枕の左右方向に沿って配置され、第２の面ファスナが、枕の上下方向に沿って配置されているので、側方部材、頭部用部材、及び頸部用部材をシート状部材に取り付けると、面ファスナが互いに直交する方向に配置される。したがって、互いの面ファスナが係合する面積が少なくなり、各部材の確実な取り付けが可能になるとともに、取り外しがより容易になる。
【００１３】
本考案において、好ましくは、頸部用部材において枕の外周に向く辺の少なくとも一部は、シート状部材に取り外し可能に取り付けられている。
このように構成された本考案においては、頸部用部材において枕の外周に向く辺の少なくとも一部がシート状部材に取り外し可能に取り付けられているので、使用者の寝返りなどによって頸部用部材がシート状部材に対してずれてしまうのを防止し、確実な頸部の支持が可能になる。
【００１４】
本考案において、好ましくは、側方部材、頭部用部材、及び頸部用部材において、シート状部材とは反対側の面には、クッション材が配置される。
このように構成された本考案においては、クッション材が設けられているので、使用者が枕に頭部を置いたときの感触が良好となる。
【００１５】
本考案において、好ましくは、少なくとも側方部材、頭部用部材、及び頸部用部材を覆うカバーを更に有する。
このように構成された本考案においては、カバーが設けられているので、少なくとも側方部材、頭部用部材、及び頸部用部材が使用時にばらばらになってしまうのが防止される。
【００１６】
本考案において、好ましくは、少なくとも側方部材、頭部用部材、及び頸部用部材を覆うカバーを更に有し、側方部材、頭部用部材、及び頸部用部材は、カバーの内面上に配置され且つ取り外し可能に取り付けられる。
このように構成された本考案においては、カバーが設けられているので、少なくとも側方部材、頭部用部材、及び頸部用部材が使用時にばらばらになってしまうのが防止される。また、側方部材、頭部用部材、及び頸部用部材が、カバーの内面上に配置され取り外し可能に取り付けられるので、これらの部材の位置をカバー内で自由に調整可能になる。また、側方部材、頭部用部材、及び頸部用部材がカバーに取り付けられるので、これらの部材の相対位置がずれるのが防止される。
【００１７】
本考案においては、好ましくは、側方部材、頭部用部材、及び頸部用部材において、カバーに取り付けられる面とは反対側の面には、クッション材が配置される。
このように構成された本考案においては、クッション材が設けられているので、使用者が枕に頭部を置いたときに接触面が柔らかくなり感触が良好となる。
【００１８】
本考案においては、好ましくは、クッション材の外面にはポケットが形成され、ポケットには、板状クッション材が収容される。
このように構成された本考案においては、クッション材の外面のポケットに、板状クッション材が収容されているので、板状クッション材によって、側方部材、頭部用部材、及び頸部用部材の間の段差が軽減され、使用感が良好になる。
【図面の簡単な説明】
【００１９】
【図１】本考案の第１実施形態にかかる枕の分解斜視図である。
【図２】本考案の第１実施形態にかかる枕のクッション材を示す図である。
【図３】本考案の第１実施形態に係る枕の調整部を裏から見た図である。
【図４】本考案の第１実施形態に係る枕の側方調整部の断面図である。
【図５】本考案の第１実施形態に係る枕の頭部用調整部の断面図である。
【図６】本考案の第１実施形態に係る枕の頸部用調整部の断面図である。
【図７】本考案の第２実施形態に係る枕の分解斜視図である。
【図８】本考案の第２実施形態に係る枕の調整部を裏から見た図である。
【図９】本考案の第２実施形態に係る枕の頸部用調整部の断面図である。
【考案を実施するための形態】
【００２０】
以下、本考案の好ましい実施形態を添付図面を参照して説明する。なお、第２実施形態以降では、第１実施形態と同様の構成には、図面に第１実施形態と同一符号を付し、その説明を簡略化または省略する。また、以下の実施形態において、使用者の後頭部が枕に当たる面を表面、枕が載置される面に向く面を裏面とし、また使用者の頭頂部側の枕の側を上側、頸部側の枕の側を下側と称する。
【００２１】
［第１実施形態］
図１は、本考案の第１実施形態にかかる枕の分解斜視図である。この図１に示すように、本実施形態の枕１は、カバー２と、カバー２内に収容された枕本体４とを備える。カバー２は、略直方体に形成されており、略矩形状の裏面の四辺のうち、三辺が開放している。この開放された三辺にはファスナ６が取り付けられており、このファスナ６によりカバー２が開閉自在になっている。
【００２２】
枕本体４は、カバー２の内側に配置されるクッション材８と、クッション材８の裏側に配置され、枕本体４の高さ等を調整することができる調整部１０と、調整部１０の裏側に配置され、調整部１０を所定位置に固定するためのシート状部材１２と、を有する。
図２は、本考案の第１実施形態に係る枕のクッション材を示す図である。この図２に示すように、クッション材８は、カバー２を通して使用者の後頭部を支持する部分であり、袋状に形成されている。クッション材８の内部には、ある程度の弾力性を有するように、綿やウレタンフォームのビーズ等の材料が充填されている。クッション材８の左右方向及び上下方向の寸法は、カバー２の左右方向及び上下方向の寸法よりも大きい。
【００２３】
調整部１０は、４つの部分に分割されている。具体的には、調整部１０は、枕本体４の左右に長さ方向に延びる平面矩形状の２つの側方調整部（側方部材）１８と、側方調整部１８の間、つまり枕本体４の中央上部に配置される平面矩形状の頭部用調整部（頭部用部材）２０と、側方調節部１８の間で、頭部用調整部２０の下方に位置する平面矩形状の頸部用調整部（頸部用部材）２２とを有する。
図３は、本考案の第１実施形態に係る枕の調整部１０を裏側から見た図である。また、図４は、本考案の第１施形態に係る枕の側方調整部１８の断面図であり、図５は、本考案の第１実施形態に係る枕の頭部用調整部２０の断面図であり、図６は、本考案の第１実施形態に係る枕の頸部用調整部２２の断面図である。
【００２４】
側方調整部１８は、図１にも示すように、全体として直方体に形成されており、左右方向の寸法は、枕本体４の左右方向の寸法の約３分の１であり、上下方向の寸法は、枕本体４の上下方向の寸法とほぼ同じである。側方調整部１８は、図４に示すように、直方体の袋状に形成された調整用カバー部２４と、調整用カバー部２４の内部に収容された高さ調整部材２６とを有する。調整用カバー部２４は、略矩形状の裏面の四辺のうち、三辺にファスナ２８を有しており、内部の高さ調整部材２６が出し入れ自在となっている。調整用カバー部２４の裏面には、左右方向略中央に、枕本体４の上下方向に沿って延びる面ファスナ３０（第２の面ファスナ）が設けられている。
高さ調整部材２６は、矩形状の板状部材であり、ウレタンフォームやスポンジ等、弾力性を有する材料で形成されている。高さ調整部材２６は、複数枚用意され、使用者の体格や使用状態に応じて所望の枚数を調整用カバー部２４に収容する。高さ調整部材２６を収容した状態では、側方調整部１８の表面は平坦となる。
【００２５】
頭部用調整部２０は、全体としてくさび状の三角柱状に形成されており、平坦な裏面２０Ａと、傾斜する表面２０Ｂとを有する。頭部用調整部２０は、図５に示すように、くさび状の袋状に形成された調整用カバー部３２と、調整用カバー部３２の内部に収容された高さ調整部材３４とを有する。頭部用調整部２０は、くさび状の厚みのある側が枕本体４の上側に配置され、上面２０Ｂの傾斜が、枕本体４の上部から下方に行くに従って厚みが小さくなるように配置されている。調整用カバー部３２は、裏面の三辺にファスナ３６を有しており、内部の高さ調整部材３４が出し入れ自在となっている。調整用カバー部３２の裏面には、左右方向略中央に、枕本体４の上下方向に沿って延びる面ファスナ３８（第２の面ファスナ）が設けられている。
高さ調整部材３４は、くさび状の高さ調整部材３４Ａと、この高さ調整部材３４Ａの裏側に配置される矩形板状の高さ調整部材３４Ｂとを有する。これらの高さ調整部材３４は、ウレタンフォームやスポンジ等、弾力性を有する材料で形成されている。高さ調整部材３４Ｂは、複数枚用意され、使用者の体格や使用状態に応じて所望の枚数を調整用カバー部３２に収容する。
【００２６】
頸部用調整部２２は、全体として半円柱状（かまぼこ形）に形成されており、平坦な裏面２２Ａと、円柱状の表面２２Ｂとを有する。頸部用調整部２２は、図６に示すように、半円柱状の袋状に形成された調整用カバー部４０と、調整用カバー部４０の内部に収容された高さ調整部材４２とを有する。頸部用調整部２２は、半円柱状の軸線方向が枕本体４の左右方向に沿うように配置されている。調整用カバー部４０は、裏面の三辺にファスナ４４を有しており、内部の高さ調整部材４２が出し入れ自在となっている。調整用カバー部４０の裏面には、左右方向略中央に、枕本体４の上下方向に沿って延びる面ファスナ４６（第２の面ファスナ）が設けられている。また、図１に示すように、調整用カバー部４０の下端４０Ａは、シート状部材１２の下端１２Ｂに、ファスナ１４等によって取り外し可能に取り付けられている。
高さ調整部材４２は、半円柱状（かまぼこ形）の高さ調整部材４２Ａと、この高さ調整部材４２Ａの裏側に配置される矩形板状の高さ調整部材４２Ｂとを有する。これらの高さ調整部材４２は、ウレタンフォームやスポンジ等、弾力性を有する材料で形成されている。高さ調整部材４２Ｂは、複数枚用意され、使用者の体格や使用状態に応じて所望の枚数を調整用カバー部４０に収容する。
【００２７】
シート状部材１２は、その上面に調整部１０を載置するための部材である。シート状部材１２は、袋状に形成されており、内部には、クッション材８よりも薄く平坦なシート状になるように、例えば弾力性を有するシート状の材料が収容されている。シート状部材１２の左右方向及び上下方向の寸法は、カバー２の左右方向及び上下方向の寸法とほぼ同じである。したがって、シート状部材１２の左右方向及び上下方向の寸法は、クッション材８の左右方向及び上下方向の寸法より短い。シート上部材１２の上辺は、クッション材８の上辺に結合されている。
シート状部材１２の調整部１０に面する面、即ち表面には、上下方向に等間隔に、左右方向に沿って左右方向のほぼ全長にわたって延びる複数（本実施形態では３つ）の面ファスナ１６（第１の面ファスナ）が設けられている。
【００２８】
以上のような構造の枕は、以下のように使用する。
まず、側方調整部１８、頭部用調整部２０、及び頸部用調整部２２のそれぞれの高さ調整部材２６，３４，４２を、使用者の体格や体調、使用環境等に応じて所望の枚数だけ積層して調整用カバー部２４，３２，４０に収容し、所望の高さの側方調整部１８、頭部用調整部２０、及び頸部用調整部２２をそれぞれ準備する。
【００２９】
そして、これらの側方調整部１８、頭部用調整部２０、及び頸部用調整部２２を、シート状部材１２の上に載置する。このとき、頸部用調整部２２を、シート状部材１２の左右方向略中央の下部に配置し、その上方に頭部用調整部２０を配置し、頸部用調整部２２及び頭部用調整部２０の左右両側に側方調整部１８を配置する。側方調整部１８、頭部用調整部２０、及び頸部用調整部２２の裏面にはそれぞれ面ファスナ３０、３８、４６が設けられており、シート状部材１２の表面にも面ファスナ１６が設けられているので、側方調整部１８、頭部用調整部２０、及び頸部用調整部２２は、所定の配置でシート状部材１２に固定される。このとき、シート状部材１２の面ファスナ１６は、枕本体４の左右方向に沿って設けられ、側方調整部１８、頭部用調整部２０及び頸部用調整部２２の面ファスナ３０，３８，４６は、枕本体４の上下方向に沿って設けられているので、面ファスナ１６と面ファスナ３０，３８，４６は、互いに直交する向きに配置され、互いに交差する部分において係合する。
【００３０】
次に、調整部１０の上から、クッション材８を被せて枕本体４を形成する。クッション材８は、シート状部材１２の左右寸法及び上下寸法よりも大きな左右寸法及び上下寸法を有しているので、クッション材８を調整部１０の上から被せると、クッション材８が調整部１０の側方を包む。このようにして組み立てた枕本体４を、カバー２に収容する。
このような枕１を使用者が使用する際には、使用者が仰臥位の場合、使用者の首を頸部用調整部２２が支持し、頭部用調整部２０が後頭部を支持する。使用者が側臥位の場合には、側方調整部１８が使用者の側頭部及び首を支持する。
【００３１】
以上のような第１実施形態に係る枕によれば、次のような効果が得られる。
調整部１０が、側方調整部１８、頭部用調整部２０、及び頸部用調整部２２に分割されているので、それぞれの部位を、使用者の臥位に応じて適切な高さ、形状、あるいは適切な硬さ等、個々に枕の条件を設定することができる。したがって、より使用者の好みや使用環境に応じた柔軟な対応が可能となる。また、これにより、使用者の体格、使用状況に応じて、どのような臥位であっても首を適切に支持することができ、適切な首の姿勢を保つことができるから、快適な睡眠を得られる。
【００３２】
頸部用調整部２２が半円柱状に形成されているので、使用者が仰臥位の時に頸部を適切に支持することができ、首の適切な姿勢を保つことができる。
また、頭部用調整部２０がくさび状に形成されているので、半円形状の頸部用調整部２２で頸部を支持された使用者の後頭部が、頭部用調整部２０によって支持されたとき、首の上部の領域における圧力を他の場所よりも少なくできる。したがって、頸部用調整部２０による頸部の支持をより確実に行えると共に、後頭部を首あるいは背骨に対して適切な角度に保持できる。
【００３３】
更に、側方調整部１８の表面が平坦に形成されているので、使用者が側臥位にあるとき、使用者の頭部が安定して側方調整部１８に支持される。従来の枕では、左右両側が盛り上がっており、中央に向かって凹むように傾斜しているため、使用者が側臥位になったとき、使用者の頭部が安定せず、再び仰臥位に戻ってしまう。また、傾斜の途中で頭部が支持されると、側臥位における使用者の頭部の高さが適切とならない場合がある。本実施形態では、側方調整部１８の表面が平坦に形成されているので、側臥位においても、使用者の頭部を意図した適切な高さで保持することができる。
【００３４】
側方調整部１８、頭部用調整部２０、及び頸部用調整部２２が、それぞれ別個の袋状に形成され、シート状部材１２上に配置されて固定されるので、各調整部１８，２０，２２の相対位置を自由に調整することができ、その相対位置がずれてしまうのを防止することができる。したがって、使用者の体格や使用状況に応じて柔軟に枕１の位置を変更することができる。
【００３５】
シート状部材１２の表面には面ファスナ１６が設けられ、側方調整部１８、頭部用調整部２０、及び頸部用調整部２２の裏面には面ファスナ３０，３８，４６が設けられているので、これらが互いに係合することによって、側方調整部１８、頭部用調整部２０、及び頸部用調整部２２がシート状部材１２に取り付けられる。面ファスナ１６，３０，３８，４６による取り外し可能な取り付けであるので、取り付け作業が容易であり、位置や高さの調整をするために各調整部１８，２０，２２を外すことも簡単に行うことができる。
【００３６】
また、シート状部材１２の面ファスナ１６は、枕１の左右方向に沿って配置され、側方調整部１８、頭部用調整部２０、及び頸部用調整部２２の面ファスナ３０，３８，４６は枕１の上下方向に沿って配置されるので、これらの面ファスナ１６と、面ファスナ３０，３８，４６とは、互いに直交する方向に配置される。面ファスナ１６と、面ファスナ３０，３８，４６とが、互いに交差する部分で係合するので、係合する面積が面ファスナ１６，３０，３８，４６の全部ではなく一部となるため、取りつけも容易であり、また取り外しも少ない力で行える。また、例えば側方調整部１８、頭部用調整部２０、及び頸部用調整部２２がシート状部材１２に対して多少斜めに配置されても、調整部１０を裏側クッション材１４に良好に固定できる。
【００３７】
調整部１０が調整用カバー部２４，３２，４０と、高さ調整部材２６，３４，４２とで構成されているので、高さ調整部材２６，３４，４２の積層枚数を調整することによって簡単に調整部１０の高さを変更することができる。
【００３８】
調整部１０の上にクッション材８が設けられているので、使用者が枕１に頭を置いたとき接触面が柔らかくなり、良好な感触を得られる。
【００３９】
［第２実施形態］
次に、本考案の第２実施形態について説明する。第２実施形態に係る枕５０は、第１実施形態のシート部材１２を有しておらず、調整部が直接カバーに取り外し可能に取り付けられている点が、第１実施形態に係る枕と主に異なる。
【００４０】
図７は、第２実施形態に係る枕５０の分解斜視図である。本実施形態の枕５０は、カバー５２と、カバー５２に収容された枕本体５４とを備える。
カバー５２の裏面の内面５２Ａには、複数個の面ファスナ（第１の面ファスナ）５６が配置されている。本実施形態では、面ファスナ５６は、矩形状に形成され、左右方向に３個ずつ、上下方向に２個ずつの計６個設けられている。それぞれの面ファスナ５６の長手方向は、枕５０の左右方向に沿って延びている。枕５０の幅方向中央の面ファスナ５６のうち、ファスナ６に近い側の面ファスナ５６は、両側の面ファスナ５６よりも内側に配置されている。
【００４１】
調整部５５は、第１実施形態と同様に側方調整部（側方部材）５８と、頭部用調整部（頭部用部材）６０と、頸部用調整部（頸部用部材）６２とを有する。これらの側方調整部５８及び頭部用調整部６０は、第１実施形態と同様に、それぞれ調整用カバー部と、調整用カバー部の内部に収容された高さ調整部材とを有している。
【００４２】
図８は、第２実施形態に係る枕５０の側方調整部５８、頭部用調整部６０、及び頸部用調整部６２を裏面側から見た図である。この図８に示すように、第２実施形態に係る枕５０では、側方調整部５８には、左右方向に延びる面ファスナ（第２の面ファスナ）６４が、上下方向に間隔を開けて配置されている。また、頭部用調整部６０、及び頸部用調整部６２には、それぞれ上下方向略中央に、左右方向に延びる面ファスナ（第２の面ファスナ）６６，６８が配置されている。これらの面ファスナ６４，６６，６８は、側方調整部５８、頭部用調整部６０、及び頸部用調整部６２がそれぞれカバー５２の上に配置されたときに、カバー５２の面ファスナ５６に対応する位置に設けられている。
【００４３】
図９は、第２実施形態に係る枕５０の頸部用調整部６２の断面図である。この図９に示すように、頸部用調整部６２は、調整用カバー部７０と、調整用カバー部７０の内部に収容された高さ調整部材７４とを有する。高さ調整部材７４は、半円柱状（かまぼこ形）及び半円筒状の高さ調整部材７４Ａと、この高さ調整部材７４Ａの裏側に配置される矩形板状の高さ調整部材７４Ｂとを有する。これらの高さ調整部材７４Ａ，７４Ｂは、複数枚用意され、使用者の体格や使用状態に応じて所望の枚数を調整用カバー部７０に収容可能となっている。
【００４４】
再び図７を参照すると、調整部５５の表面側には、クッション材７６が設けられている。クッション材７６の裏面側には、矩形状のポケット７８が形成されている。このポケット７８には、板状のクッション材８０が収容されている。
【００４５】
以上のような第２実施形態に係る枕５０では、所望の高さに調整した側方調整部５８，頭部用調整部６０、及び頸部用調整部６２をカバー５２の内面の上に所望の位置に配置する。側方調整部５８、頭部用調整部６０、及び頸部用調整部６２の面ファスナ６４，６６，６８は、カバー５２の面ファスナ５６に係合し、これにより、側方調整部５８、頭部用調整部６０、及び頸部用調整部６２が所望の位置でカバー５２に取り付けられる。
【００４６】
次に、調整部５５の上からクッション材７６を被せ、その上からカバー５２の上部分を被せて枕５０を形成する。
【００４７】
以上のような第２実施形態に係る枕によれば、次のような効果が得られる。
側方調整部５８，頭部用調整部６０、及び頸部用調整部６２がカバー５２に直接取り付けられるので、カバー５２に対する各調整部５８，６０，６２の位置がずれてしまうのを防止することができる。
【００４８】
頸部用調整部６２が、半円柱状及び半円筒状の高さ調整部材７４Ａを有するので、半円筒状の高さ調整部材７４Ａの積層枚数を調整することにより、頸部用調整部６２の半径寸法を調整することができる。これにより、頸部用調整部６２の高さのみならず、太さも調整することができるので、使用者の体格や使用状況により柔軟に対応することができる。
【００４９】
クッション材７６にポケット７８が設けられ、このポケット７８に板状のクッション材８０が収容されているので、側方調整部５８，頭部用調整部６０、及び頸部用調整部６２の間の段差が軽減され、快適な使用感を得られる。
【００５０】
本考案は、以上の実施の形態に限定されることなく、例えば、以下のような態様であってもよい。
【００５１】
各調整部は、高さ調整部材の収容枚数を調整することによって高さを調整可能になっていたが、これに限らず、例えば調整用カバー部を空気を通さない材料で形成し、内部の空気量を調整することによって高さを調整してもよい。また、調整部は、側方調整部、頭部用調整部、及び頸部用調整部の全てにおいて高さ調整可能であるものに限らず、これらのうちの少なくとも１つが高さ調整可能であればよい。
【符号の説明】
【００５２】
１，５０  枕
２，５２  カバー
４  枕本体
８，７６  クッション材
１０，５５  調整部
１２  シート状部材
１８，５８  側方調整部
２０，６０  頭部用調整部
２２，６２  頸部用調整部
【図１】
0003187390.tif 000003
【図２】
0003187390.tif 000004
【図３】
0003187390.tif 000005
【図４】
0003187390.tif 000006
【図５】
0003187390.tif 000007
【図６】
0003187390.tif 000008
【図７】
0003187390.tif 000009
【図８】
0003187390.tif 000010
【図９】
0003187390.tif 000011